(57)【要約】【課題】既設のエレベータの乗かごに設けやすくすること。【解決手段】記録装置3を収容するかご内ケース10と、電源装置6を収容するかご上ケース40と、電源装置6から監視カメラ2に電力を導く監視カメラ用電源線71と、電源装置6から記録装置3に電力を導く記録装置用電源線72と、監視カメラ2から記録装置3に撮影信号を導く信号線とを備え、監視カメラ2に設けられた雄ネジ部2cは監視カメラ用電源線71と信号線73とが通されるブッシングを兼ね、監視カメラ2、かご内ケース10およびかご上ケース40は、天井板82のネジ挿通穴82aの位置で雄ネジ部2cとナット2dにより天井板82に取り付けられ、記録装置用電源線72はかご内ケース10のベース部材20の配線穴21bと、天井板82の配線穴82bと、かご上ケース40の底板部51の配線穴51bとに通され、信号線73は雄ネジ部2cと配線穴21b,82b,51bとに通される。【選択図】図４
2014227299.tif 000002
【特許請求の範囲】
【請求項１】
乗かごの天井板に取り付けられ、その乗かご内の様子を撮影して撮影信号に変換する監視カメラと、この監視カメラにより撮影されたものを前記撮影信号に基づいて記録媒体に記録する記録装置と、前記監視カメラおよび前記記録装置に供給する電力を出力する電源装置とを備えるエレベータ乗かご内監視装置において、
前記記録装置を収容するかご内ケースと、前記電源装置を収容するかご上ケースと、前記電源装置から前記監視カメラに電力を導く監視カメラ用電源線と、前記電源装置から前記記録装置に電力を導く記録装置用電源線と、前記監視カメラから前記記録装置に前記撮影信号を導く信号線とを備え、
前記かご内ケースは、前記天井板の下面に添え当てられるベース部材を備え、
前記かご上ケースは、前記天井板の上面に添え当てられる底板部を備え、
前記監視カメラには、雄ネジ部が突出して設けられ、
前記雄ネジ部は、前記監視カメラの内部と外部を連通させる筒状に形成されることで、前記監視カメラ用電源線と前記信号線とが通されるブッシングを兼ねるものであり、
前記天井板に対して前記雄ネジ部が挿し通されるネジ挿通穴と、前記記録装置用電源線および前記信号線が通される配線穴とが貫通して設けられた後に、前記かご内ケースの前記ベース部材に設けられた前記配線穴と前記かご上ケースの前記底板部に設けられた前記配線穴とが、前記天井板に設けられた配線穴の位置に配置された状態で、前記監視カメラ、前記かご内ケースおよび前記かご上ケースは、前記雄ネジ部と、この雄ネジ部に螺合するナットとによって、その天井板に取り付けられ、
前記監視カメラ用電源線は、前記雄ネジ部に通された状態で、一端を電源装置に接続され、他端を前記監視カメラに接続され、
前記記録装置用電源線は、前記かご内ケースの前記ベース部材に設けられた前記配線穴と、前記天井板に設けられた前記配線穴と、前記かご上ケースの前記底板部に設けられた前記配線穴とに通された状態で、一端を前記電源装置に接続され、他端を前記記録装置に接続され、
前記信号線は、前記雄ネジ部と、前記かご内ケースの前記ベース部材に設けられた前記配線穴と、前記天井板に設けられた前記配線穴と、前記かご上ケースの前記底板部に設けられた前記配線穴とに通された状態で、一端を前記監視カメラに接続され、他端を前記記録装置に接続された
ことを特徴とするエレベータ乗かご内監視装置。
【請求項２】
乗かごの天井板に取り付けられ、その乗かご内の様子を撮影して撮影信号に変換する監視カメラと、この監視カメラにより撮影されたものを前記撮影信号に基づいて記録媒体に記録する記録装置と、前記監視カメラおよび前記記録装置に供給する電力を出力する電源装置とを備えるエレベータ乗かご内監視装置において、
前記記録装置を収容するかご内ケースと、前記電源装置を収容するかご上ケースと、前記電源装置から前記監視カメラに電力を導く監視カメラ用電源線と、前記電源装置から前記記録装置に電力を導く記録装置用電源線と、前記監視カメラから前記記録装置に前記撮影信号を導く信号線とを備え、
前記かご内ケースは、前記天井板の下面に添え当てられるベース部材を備え、
前記かご上ケースは、前記天井板の上面に添え当てられる底板部を備え、
前記監視カメラには、雄ネジ部が突出して設けられ、
前記かご内ケースの前記ベース部材と、前記かご上ケースの前記底板部とには、前記監視カメラの前記雄ネジ部が挿し通される取付穴と、前記監視カメラ用電源線と前記記録装置用電源線が通される配線穴とが貫通して設けられ、
前記天井板に対して前記雄ネジ部が挿し通されるネジ挿通穴と、前記監視カメラ用電源線および前記記録装置用電源線が通される配線穴とが貫通して設けられた後に、前記かご内ケースの前記ベース部材に設けられた前記配線穴と前記かご上ケースの前記底板部に設けられた配線穴とが、前記天井板に設けられた前記配線穴の位置に配置された状態で、前記監視カメラ、前記かご内ケースおよび前記かご上ケースは、前記雄ネジ部と、この雄ネジ部に螺合するナットとによって、その天井板に取り付けられ、
前記監視カメラ用電源線は、前記かご内ケースの前記ベース部材に設けられた前記配線穴と、前記天井板に設けられた前記配線穴と、前記かご上ケースの前記底板部に設けられた前記配線穴とに通された状態で、一端を前記電源装置に接続され、他端を前記監視カメラに接続され、
前記記録装置用電源線は、前記かご内ケースの前記ベース部材に設けられた前記配線穴と、前記天井板に設けられた前記配線穴と、前記かご上ケースの前記底板部に設けられた前記配線穴とに通された状態で、一端を前記電源装置に接続され、他端を前記記録装置に接続され、
前記信号線は、前記かご内ケースの内部において前記監視カメラと前記記録装置との間に配線された
ことを特徴とするエレベータ乗かご内監視装置。
【請求項３】
請求項１または請求項２に記載のエレベータ乗かご内監視装置において、
前記かご内ケースは、前記監視カメラが挿入されて位置するカメラ配置穴と、このカメラ配置穴を囲んで位置し、前記乗かごの出入口に近い箇所ほど、前記かご内ケースの厚さ寸法を小さくする先細り部とを備える
ことを特徴とするエレベータ乗かご内監視装置。
【請求項４】
請求項１〜請求項３のいずれか１項に記載のエレベータ乗かご内監視装置において、
前記記録装置は、着脱自在なメモリカードを前記記憶媒体として備えるものであって、前記ベース部材に取り付けられ、
前記かご内ケースは、前記ベース部材に対して前記記録装置を覆った状態で取り付けられたカバー部材を備え、
前記カバー部材は前記ベース部材に対して着脱自在に取り付けられるものであり、このカバー部材が前記ベース部材から取り外された状態において、前記記録装置が前記メモリカードの装着および取出しを行うことが可能に露出される
ことを特徴とするエレベータ乗かご内監視装置。
【発明の詳細な説明】
【技術分野】
【０００１】
本発明は、監視カメラで撮影した乗かご内の様子を記録装置で記録するエレベータ乗かご内監視装置に係り、特に既設のエレベータに設けるのに好適なエレベータ乗かご内監視装置に関する。
【背景技術】
【０００２】
エレベータの乗かごには、乗かご内で悪戯書きや損壊行為等の悪事を行った者等を撮影して記録するエレベータ乗かご内監視装置が設けられているものがある。このエレベータ乗かご内監視装置は、エレベータの乗かご内の様子を撮影する監視カメラと、この監視カメラにより撮影されたものを記録媒体に記録する記録装置とを備える。この種の技術としては特許文献１に開示されたものがある。
【０００３】
特許文献１には、エレベータ乗かご内防犯装置が開示されている。このエレベータ乗かご内防犯装置は、乗かご内にビデオカメラを備え、このビデオカメラで撮影した映像をビデオテープ等の収録体に収録するようにしたエレベータ乗かご内防犯装置において、乗かごの運転盤内に、収録体への映像収録を行わせるビデオデッキが収納されている。
【先行技術文献】
【特許文献】
【０００４】
【特許文献１】特開平１０−３１０３４７号公報
【発明の概要】
【発明が解決しようとする課題】
【０００５】
特許文献１に開示のエレベータ乗かご内防犯装置において、ビデオデッキ（記録装置）は乗かごの運転盤に設けられるものである。このため、特許文献１に開示のエレベータ乗かご内防犯装置を既設のエレベータに設ける場合には、運転盤にビデオデッキを収容するスペースの確保、および、ビデオデッキを運転盤に取り付けるための部材の追加等の運転盤の改造を行う必要があり、その改造は煩雑である。
【０００６】
本発明は前述の事情を考慮してなされたものであり、その目的は、既設のエレベータの乗かごに従来よりも設けやすいエレベータ乗かご内監視装置を提供することにある。
【課題を解決するための手段】
【０００７】
前述の目的を達成するために本発明に係るエレベータ乗かご内監視装置は次のように構成されている。
【０００８】
本発明に係るエレベータ乗かご内監視装置は、乗かごの天井板に取り付けられ、その乗かご内の様子を撮影して撮影信号に変換する監視カメラと、この監視カメラにより撮影されたものを前記撮影信号に基づいて記録媒体に記録する記録装置と、前記監視カメラおよび前記記録装置に供給する電力を出力する電源装置とを備えるエレベータ乗かご内監視装置において、前記記録装置を収容するかご内ケースと、前記電源装置を収容するかご上ケースと、前記電源装置から前記監視カメラに電力を導く監視カメラ用電源線と、前記電源装置から前記記録装置に電力を導く記録装置用電源線と、前記監視カメラから前記記録装置に前記撮影信号を導く信号線とを備え、前記かご内ケースは、前記天井板の下面に添え当てられるベース部材を備え、前記かご上ケースは、前記天井板の上面に添え当てられる底板部を備え、前記監視カメラには、雄ネジ部が突出して設けられ、前記雄ネジ部は、前記監視カメラの内部と外部を連通させる筒状に形成されることで、前記監視カメラ用電源線と前記信号線とが通されるブッシングを兼ねるものであり、前記天井板に対して前記雄ネジ部が挿し通されるネジ挿通穴と、前記記録装置用電源線および前記信号線が通される配線穴とが貫通して設けられた後に、前記かご内ケースの前記ベース部材に設けられた前記配線穴と前記かご上ケースの前記底板部に設けられた前記配線穴とが、前記天井板に設けられた配線穴の位置に配置された状態で、前記監視カメラ、前記かご内ケースおよび前記かご上ケースは、前記雄ネジ部と、この雄ネジ部に螺合するナットとによって、その天井板に取り付けられ、前記監視カメラ用電源線は、前記雄ネジ部に通された状態で、一端を電源装置に接続され、他端を前記監視カメラに接続され、前記記録装置用電源線は、前記かご内ケースの前記ベース部材に設けられた前記配線穴と、前記天井板に設けられた前記配線穴と、前記かご上ケースの前記底板部に設けられた前記配線穴とに通された状態で、一端を前記電源装置に接続され、他端を前記記録装置に接続され、前記信号線は、前記雄ネジ部と、前記かご内ケースの前記ベース部材に設けられた前記配線穴と、前記天井板に設けられた前記配線穴と、前記かご上ケースの前記底板部に設けられた前記配線穴とに通された状態で、一端を前記監視カメラに接続され、他端を前記記録装置に接続された
ことを特徴とする。
【０００９】
本発明に係るエレベータ乗かご内監視装置は、乗かごの天井板に取り付けられ、その乗かご内の様子を撮影して撮影信号に変換する監視カメラと、この監視カメラにより撮影されたものを前記撮影信号に基づいて記録媒体に記録する記録装置と、前記監視カメラおよび前記記録装置に供給する電力を出力する電源装置とを備えるエレベータ乗かご内監視装置において、前記記録装置を収容するかご内ケースと、前記電源装置を収容するかご上ケースと、前記電源装置から前記監視カメラに電力を導く監視カメラ用電源線と、前記電源装置から前記記録装置に電力を導く記録装置用電源線と、前記監視カメラから前記記録装置に前記撮影信号を導く信号線とを備え、前記かご内ケースは、前記天井板の下面に添え当てられるベース部材を備え、前記かご上ケースは、前記天井板の上面に添え当てられる底板部を備え、前記監視カメラには、雄ネジ部が突出して設けられ、前記かご内ケースの前記ベース部材と、前記かご上ケースの前記底板部とには、前記監視カメラの前記雄ネジ部が挿し通される取付穴と、前記監視カメラ用電源線と前記記録装置用電源線が通される配線穴とが貫通して設けられ、前記天井板に対して前記雄ネジ部が挿し通されるネジ挿通穴と、前記監視カメラ用電源線および前記記録装置用電源線が通される配線穴とが貫通して設けられた後に、前記かご内ケースの前記ベース部材に設けられた前記配線穴と前記かご上ケースの前記底板部に設けられた配線穴とが、前記天井板に設けられた前記配線穴の位置に配置された状態で、前記監視カメラ、前記かご内ケースおよび前記かご上ケースは、前記雄ネジ部と、この雄ネジ部に螺合するナットとによって、その天井板に取り付けられ、前記監視カメラ用電源線は、前記かご内ケースの前記ベース部材に設けられた前記配線穴と、前記天井板に設けられた前記配線穴と、前記かご上ケースの前記底板部に設けられた前記配線穴とに通された状態で、一端を前記電源装置に接続され、他端を前記監視カメラに接続され、前記記録装置用電源線は、前記かご内ケースの前記ベース部材に設けられた前記配線穴と、前記天井板に設けられた前記配線穴と、前記かご上ケースの前記底板部に設けられた前記配線穴とに通された状態で、一端を前記電源装置に接続され、他端を前記記録装置に接続され、前記信号線は、前記かご内ケースの内部において前記監視カメラと前記記録装置との間に配線されたことを特徴とする。
【発明の効果】
【００１０】
本発明に係るエレベータ乗かご内監視装置は、乗かごの天井板に対して雄ネジ部が挿し通されるネジ挿通穴と、記録装置用電源線および信号線が通される配線穴とを設けるだけで、または、乗かごの天井板に対して雄ネジ部が挿し通されるネジ挿通穴と、監視カメラ用電源線および記録装置用電源線が通される配線穴とを設けるだけで、既設のエレベータの乗かごに設けることができるものであるので、従来よりも既設のエレベータの乗かごに設けやすい。
【図面の簡単な説明】
【００１１】
【図１】本発明の第１の実施形態に係るエレベータ乗かご内監視装置に備えられる監視カメラおよびかご内ケースの配置の一例を示す斜視図である。
【図２】図１に示した監視カメラおよびかご内ケースの拡大斜視図である。
【図３】図１のIII−III拡大断面図である。
【図４】図１のIV−IV拡大断面図である。
【図５】図３に示したかご内ケースおよびベース板部のV−V断面図である。
【図６】図３に示したかご内ケースからカバー部材を取り外した状態の側面図である。
【図７】本発明の第２の実施形態に係るエレベータ乗かご内監視装置の図４に対応する図である。
【発明を実施するための形態】
【００１２】
本発明の第１の実施形態に係るエレベータ乗かご内監視装置について図１〜６を用いて説明する。
【００１３】
図１〜図４に示すように、第１の実施形態に係るエレベータ乗かご内監視装置１は、乗かご８０内の様子を撮影して撮影信号に変換する監視カメラ２と、この監視カメラ２により撮影されたものを撮影信号に基づいてメモリカード４（記録媒体）に記録する記録装置３と、この記録装置３の状態を示す表示灯５と、１００Ｖの交流電源に１００Ｖ電源線７０を介して接続され、この交流電源から供給される交流電力を監視カメラ２、記録装置３、表示灯５のそれぞれに適合した直流電力に変換する電源装置６と、表示灯５および記録装置３を収容するかご内ケース１０と、電源装置６を収容するかご上ケース４０と、電源装置６から監視カメラ２に電力を導く監視カメラ用電源線７１と、電源装置６から記録装置３に電力を導く記録装置用電源線７２、監視カメラ２から記録装置３に撮影信号を導く信号線７３と、記録装置３から表示灯５に電力を導く表示灯用電源線７４とを備える。
【００１４】
監視カメラ２は、乗かご８０の天井を成す天井板８２の下面に突出して設けられるものであり、円筒状の筐体２ａを備える。この筐体２ａは、乗かご８０の奥側において一端を上端として天井板８２に添え当てられた状態で天井板８２に取り付けられる。筐体２ａの他端（下端）には、レンズ（図示省略）と、このレンズを覆って位置するドーム状の保護カバー２ｂとを備える。監視カメラ２のレンズは、乗かご８０の出入口８１に向けられている。
【００１５】
監視カメラ２の筐体２ａの上端には、雄ネジ部２ｃが突出して設けられている。この雄ネジ部２ｃは、監視カメラ２の内部と外部を連通させる筒状に形成されることで、電源装置６から監視カメラ２に電力を導く監視カメラ用電源線７１と、監視カメラ２から記録装置３に撮影信号を導く信号線７３とが通されるブッシングを兼ねている。つまり、雄ネジ部２ｃは円筒状に形成されたものであって、その円筒の外周面が雄ネジとして機能し、内周面がブッシングとして機能するものである。天井板８２には、監視カメラ２の雄ネジ部２ｃが挿し通されるネジ挿通穴８２ａが設けられている。このネジ挿通穴８２ａに挿し通された雄ネジ部２ｃには、ナット２ｄが螺合している。つまり、監視カメラ２は雄ネジ部２ｃとナット２ｄによって天井板８２に取り付けられている。
【００１６】
かご内ケース１０は、天井板８２に取り付けられるベース部材２０と、このベース部材２０に取り付けられたカバー部材３０とを備える。
【００１７】
ベース部材２０は、天井板８２の下面に添え当られるベース板部２１を備える。乗かご８０の出入口８１側を前側とし乗かご８０の奥側を後側とした場合に、前後方向においてベース板部２１の中央よりも前方の箇所には、監視カメラ２の雄ネジ部２ｃが挿し通される取付穴２１ａが貫通して設けられている。
【００１８】
ベース部材２０は、監視カメラ２が挿入されて位置するカメラ配置穴２３ａと、このカメラ配置穴２３ａを囲んで位置し、乗かご８０の出入口８１に近い箇所ほど、天井板８２からのかご内ケース１０の突出寸法を小さくする先細り部２２とを備える。先細り部２２は、前方向に半円形状に張り出した傾斜板部２３を備える。カメラ配置穴２３ａは傾斜板部２３に貫通して設けられた楕円形の穴である。
【００１９】
記録装置３は、先細り部２２よりも後方において、ベース板部２１に取り付けられている。カバー部材３０は、記録装置３を覆った状態でベース部材２０に取り付けられる。
【００２０】
図４，図５に示すように、ベース部材２０は、ベース板部２１から下方向に延びて設けられ、ベース部材２０に対するカバー部材３０の配置をガイドする左右１対のガイド部２４，２５を備える。これら１対のガイド部２４，２５の間には、記録装置３が配置される。
【００２１】
カバー部材３０は先細り部２２よりも後方でベース部材２０に取り付けられるものであり、記録装置３を下方から覆う下板部３１と、左右方向において対向して位置する１対の側板部３２，３３と、記録装置３を後方から覆う奥板部３４とを備える。１対の側板部３２，３３は、１対のガイド部２４，２５のそれぞれに対して、外側から重なり合って位置する。
【００２２】
カバー部材３０の１対の側板部３２，３３のそれぞれには、雄ネジ２６，２７のそれぞれが挿し通される取付穴３２ａ，３３ａが貫通して設けられている。ガイド部２４には、取付穴３２ａに挿し通された状態の雄ネジ２６が挿し通されるネジ挿通穴２４ａと、ガイド部２４のガイド部２５側の面に設けられ、ネジ挿通穴２４ａに挿し通された状態の雄ネジ２６に螺合される雌ネジ２８が設けられている。ガイド部２５には、取付穴３３ａに挿し通された状態の雄ネジ２７が挿し通されるネジ挿通穴３３ａと、ガイド部２５のガイド部２４側の面に設けられ、ネジ挿通穴３３ａに挿し通された状態の雄ネジ２７に螺合される雌ネジ２９が設けられている。
【００２３】
ベース部材２０は先細り部２２とガイド部２４の間の位置に、カバー部材３０の前端部が差し込まれる差込み部２０ａを備える。この差込み部２０ａは、カバー部材３０の前端部の上下左右方向の移動を規制する。
【００２４】
カバー部材３０は、差込み部２０ａに差し込まれた状態において、側板部３２をガイド部２４に雄ネジ２６と雌ネジ２８で締結され、側板部３３をガイド部２５に雄ネジ２７と雌ネジ２９で締結されることによって、ベース部材２０に取り付けられている。
【００２５】
カバー部材３０は、雄ネジ２６，２７が緩められてカバー部材３０から取り除かれた状態で、図６に示すように矢印Ａに移動されることによって、すなわち、ガイド部２４に沿って後方向にスライドされることで差込み部２０ａから抜かれた後に下方向にスライドされることによって、ベース部材２０から取り外される。このようにベース部材２０からカバー部材３０が取り外された状態で、記録装置３に対するメモリカード４の装着および取出しが行われる。
【００２６】
図４に示すように、ベース部材２０は、先細り部２２と差込み部２０ａとの間の位置に、表示灯５を収容している。先細り部２２と差込み部２０ａと間に位置するベース部材２０の箇所には、表示灯５の発光部を乗かご８０内に対して露出させる窓２０ｂが貫通して設けられている。
【００２７】
図３，図４に示すように、かご上ケース４０は、天井板８２の上面、すなわち乗かご８０の天井裏に設けられている。このかご上ケース４０は、箱状のケース本体５０と、このケース本体５０の開口部５０ａを塞いだ状態でケース本体５０に取り付けられる蓋部材６０とを備える。
【００２８】
ケース本体５０は、かご上ケース４０の底面を成す底板部５１（図４に示す）と、前後方向において対向して位置する１対の側板部５３，５４と、左右方向において対向して位置する１対の側板部５５，５６（側板部５５は図３、側板部５６は図４に示す）とを備える。
【００２９】
ケース本体５０の底板部５１は、天井板８２の上面に添え当てられて位置する。この底板部５１には、監視カメラ２の雄ネジ部２ｃが挿し通される取付穴５１ａが貫通して設けられている。つまり、かご上ケース４０は監視カメラ２およびかご内ケース１０のベース部材２０とともに、天井板８２に設けられたネジ挿通穴８２ａの位置で、天井板８２に対し雄ネジ部２ｃとナット２ｄにより締結されている。
【００３０】
ケース本体５０の側板部５４「の内壁面には電源装置６が添え当てられた状態で取り付けられている。
【００３１】
図４に示すように、蓋部材６０は、ケース本体５０の開口部５０ａを塞いだ状態に配置される天板部６１と、この天板部６１の縁から延び、ケース本体５０の側板部５３，５４のそれぞれと重なり合って配置される側板部６２，６３を備える。これら側板部６２，６３のそれぞれには、雄ネジ６４，６５のそれぞれが挿し通される取付穴６２ａ，６３ａが設けられている。ケース本体５０には、取付穴６２ａに挿し通された状態の雄ネジ６４が挿し通されるネジ挿通穴５３ａと、このネジ挿通穴５３ａに挿通された状態の雄ネジ６４に螺合される雌ネジ５３ｂと、取付穴６３ａに挿し通された状態の雄ネジ６５が挿し通されるネジ挿通穴５４ａと、このネジ挿通穴５４ａに挿通された状態の雄ネジ６５に螺合される雌ネジ５４ｂとが設けられている。つまり、蓋部材６０はケース本体５０の開口部５０ａを塞いだ状態で、雄ネジ６４，６５と雌ネジ５３ｂ，５４ｂによってケース本体５０に締結されている。
【００３２】
ケース本体５０の側板部５６には、配線穴５５ａが貫通して設けられている。この配線穴５５ａには、１００Ｖの交流電源から電源装置６に電力を導く１００Ｖ電源線７０が通される。また、配線穴５５ａの位置にはブッシング５６が装着され、これにより、配線穴５５ａの縁との接触による１００Ｖ電源線７０の損傷が防止されている。
【００３３】
ケース本体５０の底板部５１、天井板８２、ベース部材２０のベース板部２１のそれぞれには、互いに同軸上に配置される配線穴５１ｂ，８２ｂ，２１ｂのそれぞれが貫通して設けられている。これらの配線穴５１ｂ，８２ｂ，２１ｂには、電源装置６から記録装置３に電力を導く記録装置用電源線７２と、監視カメラ２から記録装置３に撮影信号を導く信号線７３とが通される。また、配線穴５１ｂ，８２ｂ，２１ｂの位置にはブッシング８３が装着され、これにより、配線穴５１ｂ，８２ｂ，２１ｂのそれぞれの縁との接触による記録装置用電源線７２および信号線７３の損傷が防止されている。
【００３４】
ブッシング８３は配線穴５１ｂ，８２ｂ，２１ｂの全てを貫通して位置することで、かご内ケース１０のベース部材２０とかご上ケース４０のケース本体５０とが天井板８２に対し監視カメラ２の雄ネジ部２ｃを中心として回転することを阻止する。
【００３５】
ブッシング８３は、配線穴５１ｂの周囲においてかご上ケース４０の底板部５１に上方から接する鍔状の上部抜け止め部８３ｂと、配線穴２１ｂの周囲においてかご内ケース１０のベース板部２１に下方から接する鍔状の下部抜け止め部８３ｂとを備える。これら上部抜け止め部８３ｂと下部抜け止め部８３ｂは、ブッシング８３が配線穴５１ｂ，８２ｂ，２１ｂから抜けることを阻止しているとともに、かご内ケース１０のベース板部２１と天井板８２とかご上ケース４０の底板部５１とを上下方向において挟持している。
【００３６】
このように構成されたエレベータ乗かご内監視装置１を既設の乗かご８０に設置する作業は、乗かご８０の天井裏側に配された作業者（以下「かご上作業者」という）と、乗かご８０内に配された作業者（以下「かご内作業者」という）とによって行われる。それらかご上作業者とかご内作業者により行われる作業の手順を、次に説明する。なお、その作業の前に、かご内ケース１０のベース部材２０に対する記録装置３と表示灯５との取付け、記録装置３と表示灯５とを接続する表示灯用電源線７４の配線、かご上ケース４０のケース本体５０に対する電源装置６の取付け、ケース本体５０に設けられた配線穴５５ａに対するブッシング５６の装着は、完了している。
【００３７】
はじめに、かご上作業者とかご内作業者は、天井裏に既に設置されている機器を避けてかご上ケース４０を配置することと、監視カメラ２のレンズを乗かご８０の出入口８１に向けることと、記録装置３に対してメモリカード４を抜き取るのに要する乗かご８０の奥壁８４と記録装置３との間隔とを考慮して、かご上ケース４０、かご内ケース１０および監視カメラ２の取付位置を決定し、この取付位置に基づいて、かご上作業者は天井板８２の上面にネジ挿通穴８２ａの中心および配線穴８２ｂの中心を罫書きする。
【００３８】
次に、かご上作業者は、天井板８２の上面に対して行った罫書きに基づき、天井板８２に対して穴あけ加工を行って、ネジ挿通穴８２ａと配線穴８２ｂとを天井板８２に設ける。
【００３９】
次に、かご内作業者は、かご内ケース１０のベース部材２０に設けられたカメラ配置穴２３ａに監視カメラ２の筐体２ａを挿入するとともに、ベース部材２０に設けられた取付穴２１ａに監視カメラ２の雄ネジ部２ｃを挿し通す。そして、取付穴２１ａに挿し通された状態の雄ネジ部２ｃを、天井板８２のネジ挿通穴８２ａに下方から挿し通して、天井板８２の上面側（天井裏）に突出させる。
【００４０】
次に、かご上作業者は、ネジ挿通穴８２ａから天井板８２の上面側に突出した状態の雄ネジ部２ｃを、かご上ケース４０のケース本体５０に設けられた取付穴５１ａに挿し通す。そして、かご上作業者は、取付穴５１ａからケース本体５０の内側に突出した状態の雄ネジ部２ｃにナット２ｄを螺合させ仮締めする。この仮締めの段階において、かご上作業者は、監視カメラ２、かご内ケース１０およびかご上ケース４０を、雄ネジ部２ｃを中心に回転自在な状態としておく。
【００４１】
次に、かご上作業者は、仮止めされた状態のかご上ケース４０を監視カメラ２の雄ネジ部２ｃを中心に回転させることで、かご上ケース４０の底板部５１に設けられた配線穴５１ｂを、天井板８２に設けられた配線穴８２ｂと同軸上に配置する。また、かご内作業者は、仮止めされた状態のかご内ケース１０を監視カメラ２の雄ネジ部２ｃを中心に回転させることで、かご内ケース１０のベース部材２０に設けられた配線穴２１ｂを、天井板８２に設けられた配線穴８２ｂと同軸上に配置する。配線穴５１ｂ，２１ｂの両方が配線穴８２ｂと同軸上に配置された状態において、かご上作業者およびかご内作業者はいずれか１人で、または２人で協力して、それらの配線穴５１ｂ，８２ｂ，２１ｂの位置にブッシング８３を装着する。
【００４２】
次に、かご内作業者は、仮止めされた状態の監視カメラ２を雄ネジ部２ｃを中心に回転させることで、監視カメラ２のレンズを乗かご８０の出入口８１に向ける。
【００４３】
次に、かご上作業者は、ナット２ｄを本締めして、監視カメラ２、かご内ケース１０のベース部材２０およびかご上ケース本体５０を、天井板８２に対して固定する。
【００４４】
次に、かご上作業者およびかご内作業者はいずれか１人で、または２人で協力して、１００Ｖ交流電源と電源装置６とを接続する１００Ｖ電源線７０の配線、電源装置６と監視カメラ２とを接続する監視カメラ用電源線７１の配線、電源装置６と記録装置３とを接続する記録装置用電源線７２の配線、監視カメラ２と記録装置３とを接続する信号線７３の配線を行う。
【００４５】
最後に、かご上作業者はかご上ケース４０の蓋部材６０をケース本体５０に取付け、かご内作業者はかご内ケース１０のカバー部材３０を、ベース部材２０に取り付ける。これで、既設の乗かご８０に対するエレベータ乗かご内監視装置１の設置は完了する。
【００４６】
第１の実施形態に係るエレベータ乗かご内監視装置１は、次の効果を奏する。
【００４７】
第１の実施形態に係るエレベータ乗かご内監視装置１は、乗かご８０の天井板８２に対して雄ネジ部２ｃが挿し通されるネジ挿通穴８２ａと、記録装置用電源線７２および信号線７３が通される配線穴８２ｂとを設けるだけで、既設のエレベータの乗かごに設けることができるものであるので、従来よりも既設のエレベータの乗かごに設けやすくすることができる。
【００４８】
第１の実施形態に係るエレベータ乗かご内監視装置１において、かご内ケース１０は、監視カメラ２が挿入されて位置するカメラ配置穴２３ａと、このカメラ配置穴２３ａを囲んで位置し、乗かご８０の出入口８１に近い箇所ほど、かご内ケース１０の厚さ寸法を小さくする先細り部２２とを備える。これにより、第１の実施形態に係るエレベータ乗かご内監視装置１は、乗客が出入口８１から乗かご８０に入ったときに、天井板８２の下面からかご内ケース１０が突出している印象を軽減することができる。
【００４９】
第１の実施形態に係るエレベータ乗かご内監視装置１において、カバー部材３０はベース部材２０に対して着脱自在に取り付けられるものであり、このカバー部材３０がベース部材２０から取り外された状態において、記録装置３がメモリカード４の装着および取出しを行うことが可能に露出される。これにより、第１の実施形態に係るエレベータ乗かご内監視装置１は、かご内ケース１０が天井板８２に取り付けられた状態での記録装置３に対するメモリカード４の装着、および、記録装置３からのメモリカード４の取出しを行いやすくすることができる。
【００５０】
第１の実施形態に係るエレベータ乗かご内監視装置１において、ブッシング８３は上部抜け止め部８３ａと下部抜け止め部８３ｂによって、かご内ケース１０のベース板部２１と天井板８２とかご上ケース４０の底板部５１とを挟持するので、雄ネジ部２ｃとナット２ｄのみによって天井板８２にかご内ケース１０とかご上ケース４０とを取り付ける場合よりも、天井板８２に対するかご内ケース１０およびかご上ケース４０の取付強度を高めることができる。
【００５１】
本発明の第２の実施形態に係るエレベータ乗かご内監視装置について、図７を用いて説明する。ここでは、第２の実施形態に係るエレベータ乗かご内監視装置と第１の実施形態に係るエレベータ乗かご内監視装置との相違点のみ説明する。
【００５２】
図７に示すように、第２の実施形態に係るエレベータ乗かご内監視装置１０１において、監視カメラ２には、第１の実施形態における雄ネジ部２ｃとは相違し、ブッシングを兼ねない雄ネジ部１０２ｃが設けられている。
【００５３】
第２の実施形態に係るエレベータ乗かご内監視装置１０１においては、雄ネジ部１０２ｃがブッシングを兼ねないことに関連して、電源装置６と監視カメラ２とを接続する監視カメラ用電源線７１の配線の態様、監視カメラ２と記録装置３とを接続する信号線７３の配線の態様とが、第１の実施形態におけるそれらの配線の態様とは相違する。
【００５４】
第２の実施形態に係るエレベータ乗かご内監視装置１０１においては、監視カメラ用電源線７１と信号線７３は、監視カメラ２の筐体２ａの側部から引き出されて設けられている。そして、監視カメラ用電源線７１は、かご上ケース４０の底板部５１に設けられた配線穴５１ｂと、天井板８２に設けられた配線穴８２ｂと、かご内ケース１０のベース板部２１に設けられた配線穴２１ｂとに通された状態で、一端を電源装置６に接続されていて、他端を監視カメラ２に接続されている。信号線７３は、かご内ケース１０の内部において監視カメラ２と記録装置３との間に配線されている。
【００５５】
このように構成された第２の実施形態に係るエレベータ乗かご内監視装置１０１は、乗かご８０の天井板８２に対して雄ネジ部１０２ｃが挿し通されるネジ挿通穴８２ａと、監視カメラ用電源線７１および記録装置用電源線７２が通される配線穴８２ｂとを設けるだけで、既設のエレベータの乗かごに設けることができるものであるので、従来よりも既設のエレベータの乗かごに設けやすくすることができる。
【符号の説明】
【００５６】
１  エレベータ乗かご内監視装置
２  監視カメラ
２ｃ  雄ネジ部
２ｄ  ナット
３  記録装置
４  メモリカード（記録媒体）
６  電源装置
１０  かご内ケース
２０  ベース部材
２１ａ  取付穴
２１ｂ  配線穴
２２  先細り部
２３ａ  カメラ配置穴
３０  カバー部材
４０  かご上ケース
５１  底板部
５１ａ  取付穴
５１ｂ  配線穴
７１  監視カメラ用電源線
７２  記録装置用電源線
７３  信号線
８０  乗かご
８１  出入口
８２  天井板
８２ａ  ネジ挿通穴
８２ｂ  配線穴
１０１  エレベータ乗かご内監視装置
１０２ｃ  雄ネジ部
【図１】
2014227299.tif 000003
【図２】
2014227299.tif 000004
【図３】
2014227299.tif 000005
【図４】
2014227299.tif 000006
【図５】
2014227299.tif 000007
【図６】
2014227299.tif 000008
【図７】
2014227299.tif 000009